(57)【要約】【課題】吐水時に水による使用者への冷覚を緩和して、消費電力を軽減した吐水装置を提供する。【解決手段】本発明は、水２９を吐出する第１流路２と、温風３９を吐出する第２流路３とを備え、第１流路２の吐水口２１と第２流路３の吐出口３２とを独立して吐出部１４に設け、第１流路２の下流側の端部を先細り形状に形成し、第２流路３は、吐水口２１に生じる吸引圧によって第２流路３内の温風３９を送り出すように、吐水口２１に近接して吐出口３２を配置したものである。【選択図】図１
2014177758.tif 000002
【特許請求の範囲】
【請求項１】
水を吐出する第１流路と、温風を吐出する第２流路とを備え、
前記第１流路の吐水口と前記第２流路の吐出口とを独立して吐出部に設け、
前記第１流路の下流側の端部を先細り形状に形成し、
前記第２流路は、前記吐水口に生じる吸引圧によって前記第２流路内の温風を送り出すように、前記吐水口に近接して前記吐出口を配置したものであることを特徴とする吐水装置。
【請求項２】
前記第２流路は、その下流部位を、前記吐水口の外周側を囲む断面環状に設けたものであることを特徴とする請求項１記載の吐水装置。
【請求項３】
前記第２流路の下流側の端部を先細り形状に形成したものであることを特徴とする請求項１または請求項２記載の吐水装置。
【請求項４】
前記水及び前記空気を吐出する第１モードと、前記空気のみを吐出する第２モードとを有し、
前記第２モードで作動する送風部を前記第２流路に設けたものであることを特徴とする請求項１乃至３のいずれか一項記載の吐水装置。
【請求項５】
物体を検知する検知部を備え、
前記検知部で物体を検知したときに前記第２モードを行うものであることを特徴とする請求項１乃至４のいずれか一項記載の吐水装置。
【発明の詳細な説明】
【技術分野】
【０００１】
本発明は、吐水装置に関するものである。
【背景技術】
【０００２】
従来から、手洗装置として、温風を発生させる温風発生手段と、手洗水をシャワー状に供給する手洗水供給手段とを備えたものがある（特許文献１等参照）。この手洗装置では、送風用ファンの風を加熱ヒータで加熱した後、手洗水供給手段のシャワーノズルからの手洗水と混合して排出する構成となっている。そして、前記手洗装置では、加熱した風と手洗水とを同時に排出することで、手洗水による冷感（冷覚）を使用者に生じ難くしている。
【先行技術文献】
【特許文献】
【０００３】
【特許文献１】特昭開６３−２７７０２３号公報
【発明の概要】
【発明が解決しようとする課題】
【０００４】
しかしながら、前記手洗装置では、加熱した風と手洗水とを排出する場合、送風用ファンを作動させるため、消費電力を低減し難いという問題がある。
【０００５】
本発明は、前記事情に鑑みてなされたものであって、吐水時にこの水による使用者への冷覚を緩和し、且つ消費電力を抑えた吐水装置を提供することを課題とする。
【課題を解決するための手段】
【０００６】
前記課題を解決するために本発明は、水を吐出する第１流路と、温風を吐出する第２流路とを備え、前記第１流路の吐水口と前記第２流路の吐出口とを独立して吐出部に設け、前記第１流路の下流側の端部を先細り形状に形成し、前記第２流路は、前記吐水口に生じる吸引圧によって前記第２流路内の温風を送り出すように、前記吐水口に近接して前記吐出口を配置したものであることを特徴とする。
【０００７】
また、前記第２流路は、その下流部位を、前記吐水口の外周側を囲む断面環状に設けたものであることが好ましい。
【０００８】
また、前記第２流路の下流側の端部を先細り形状に形成したものであることが好ましい。
【０００９】
また、前記水及び前記空気を吐出する第１モードと、前記空気のみを吐出する第２モードとを有し、前記第２モードで作動する送風部を前記第２流路に設けたものであることが好ましい。
【００１０】
また、物体を検知する検知部を備え、前記検知部で物体を検知したときに前記第２モードを行うものであることが好ましい。
【発明の効果】
【００１１】
本発明は、前記吸引圧によって、第２流路の温風を吐水方向（水の流動方向）に沿って送り出すことができる。このため、本発明は、ファン等で第２流路の温風を送り出さなくても、吐水時に、温風を吐出することができて、ファン等による消費電力を削減することができる。そして、本発明は、前記吸引圧によって第２流路から温風を送り出すため、ファン等で温風を送り出す場合に比べて、吐水口からの水が温風の流れの影響を受け難くすることができる。
【図面の簡単な説明】
【００１２】
【図１】第一実施形態の吐水装置を示し、（ａ）は構成模式図であり、（ｂ）は吐水口及び吐出口の構成説明図である。
【図２】同上の外殻部周辺の斜視図である。
【図３】第二実施形態の吐水装置の構成模式図であり、（ａ）は第１モードであり、（ｂ）は第２モードである。
【図４】同上の外殻部周辺の斜視図である。
【図５】図４のＢ−Ｂ断面図である。
【図６】検知部の検知結果と送風部及び加熱部の動作との対応説明図である。
【図７】変形例の流路の構成模式図である。
【発明を実施するための形態】
【００１３】
以下、本発明を添付図面に基づいて説明する。
【００１４】
本発明の第一実施形態の吐水装置１は、例えば、図２に示すように、キッチンカウンターのシンクや洗面台のボウル等の水受部７の上方に設けられる。
【００１５】
吐水装置１は、外部の給水源（図示せず）から供給された水２９を吐出する第１流路２と、外気を取り込み温風３９にして吐出する第２流路３と、第１流路２及び第２流路３の下流側の外殻を形成する外殻部１１とを備える。外殻部１１は、例えば、水受部７の縁部に設けられる基部１２と、基部１２の上部に設けられるスパウト１３とを備える。
【００１６】
基部１２は、水受部７の縁部上面に固定される。言い換えると、水受部７の縁部は、基部１２を取り付ける取付台７１となっている。スパウト１３は、下向きＵ字の筒形状に形成される。スパウト１３は、Ｕ字の一端（第１端）が、基部１２の上部に接続される。そして、スパウト１３は、Ｕ字の残りの一端（第２端）が、水受部７に臨むように配置される。
【００１７】
また、スパウト１３は、前記第２端に、吐出部１４を備える。吐出部１４は、第１流路２の下流端及び第２流路３の下流端が設けてある。このため、吐水装置１は、吐出部１４から水２９と温風３９とを吐出するよう構成される。言い換えると、第１流路２の下流端及び第２流路３の下流端は、吐出部１４に開口して設けてある。
【００１８】
更に、吐水装置１は、操作部（図示せず）を備える。吐水装置１は、この操作部の操作に応じて、吐出部１４から水２９及び温風３９の両方を吐出するよう構成される。以下、断面形状とは、特に指定しない限り、水２９又は温風３９の流動する方向（流動方向）に直交して切断した面とする。
【００１９】
第１流路２は、上流側が前記給水源に接続されており、この給水源は、例えば水道管となっている。このため、第１流路２は、その下流端（吐水口２１）から水２９を吐出する構成（給水路）となっている。
【００２０】
第１流路２は、図１に示すように、その下流側に、第１部位２２を有する。第１部位２２は、外殻部１１に覆われる。第１部位２２は、例えば、円筒状に形成される。第１部位２２は、その端部（吐水口２１）に、整流板（図示せず）が設けてある。このため、第１流路２は、流動方向に沿って吐水口２１から、断面円形の線状（柱状）に水２９を吐出する構成となっている。なお、吐水口２１は、線状に吐出可能であれば、前記整流板を備えたものに限らない。
【００２１】
また、第１部位２２の下流側の端部（第１端部２３）は、下流側に向かう程流路径が狭まる先細り形状となっている。言い換えると、第１端部２３は、流路径が下流側程狭まる第１縮径部２４と、第１縮径部２４の下流端に接続される第１小径部２５とを有する。第１小径部２５は、その断面形状が、水２９の流動方向において略一様となっている。第１小径部２５は、その直径が、第１縮径部２４の下流端の直径と、略同寸となっている。第１小径部２５は、その下流端が吐水口２１となっている。
【００２２】
このため、吐水口２１は、吐出する水２９の流速が、第１縮径部２４（先細り形状の部位）より上流側の部位の流速に比べて、速くなる構成となっている。言い換えると、吐水口２１は、水２９を加速して吐出する構成となっている。
【００２３】
第２流路３は、その上流側に外気（空気）の取入口３１を有する。取入口３１は、例えば、水受部７の縁部（取付台７１）より下方側に配置される。第２流路３は、取入口３１より下流側に、加熱部３３が設けてある。加熱部３３は、取付台７１より下方側に配置される。このため、取入口３１及び加熱部３３は、水受部７に隠蔽されて外観に目立ち難い位置に配置することができる。
【００２４】
加熱部３３は、取入口３１から第２流路３に取り入れた空気を加熱する。このため、第２流路３は、その下流端（吐出口３２）から温風３９を吐出する構成（給気路）となっている。また、加熱部３３は、例えば、前記操作部の操作に応じて空気の加熱とその停止とを切り替える。
【００２５】
第２流路３は、その下流側に第２部位３４を有する。第２部位３４は、例えば、円筒状に形成される。第２部位３４は、外殻部１１に覆われる。また、第２部位３４の下流側の端部（第２端部３５）は、その流路径が、第１端部２３の流路径に比べて、大寸となっている。そして、第２端部３５は、その内周側に第１端部２３が略同心で配置される。言い換えると、第２端部３５は、第１端部２３を中心として、第１端部２３の外周を覆うように配置される。そして、吐出口３２は、吐水口２１の下流側に位置する。
【００２６】
このため、吐水口２１は、その外周が第２端部３５に覆われる。そして、第２端部３５（その流路）は、吐水口２１の外周において、吐水口２１の外周側を囲む断面環状となっており、この環の内周側の部位（壁）が第１端部２３で構成される。言い換えると、第２流路３は、吐水口２１の外周側を囲む環状に第２端部３５を有する。なお、第２端部３５の前記環の内周側の壁は、第１部位２２で形成したものに限らない。
【００２７】
更に、第２端部３５は、下流側に向かう程流路径が狭まる先細り形状となっている。そして、第２端部３５は、その先端（吐出口３２）の直径が、吐水口２１の直径に比べて、大寸となっている。言い換えると、第２端部３５は、流路径が下流側程狭まる第２縮径部３６と、第２縮径部３６の下流端に接続される第２小径部３７とを有する。
【００２８】
第２縮径部３６は、その下流端の直径が、第１小径部２５の直径に比べて大寸となっている。第２小径部３７は、その断面形状が、水２９の流動方向において略一様となっている。第２小径部３７は、その直径が、第２縮径部３６の下流端の直径と略同寸となっている。第２小径部３７は、その下流端が吐出口３２となっている。
【００２９】
このように、吐水装置１は、第２端部３５の内周側に第１端部２３を配置したことで、吐出口３２から断面円形の環状（筒状）に温風３９を吐出するよう構成される。
【００３０】
このため、吐水装置１は、吐出部１４から線状の水２９を筒状の温風３９で覆うよう水２９及び温風３９の両方を吐出することができて、使用者の手等の対象物８に温風３９が当たる面積を増加させ易くすることができる。これによって、吐水装置１は、温風３９を水２９の内側や混合する場合に比べて、温風３９の温熱感（温風３９による温覚）を使用者に生じ易くすることができて、吐水による使用者の冷覚を緩和し易くすることができる。そして、吐水装置１は、水２９に比べて比熱の小さい空気を加熱するため、水２９を加熱する場合に比べて、消費電力を抑え易くすることができる。
【００３１】
更に、吐出口３２は、吐水口２１より下流側に位置するため、水２９を温風３９で包むように合流させて吐出する構成となっている。このため、第２端部３５は、吐水口２１の外周に位置する部位が、温風３９を水２９に合流させる合流口となっている。
【００３２】
また、吐水装置１は、第１端部２３を先細り形状としたことで、吐水したとき、例えば吐水口２１の外周側に吸引圧を生じさせることができる。そして、吐水装置１は、前記吸引圧によって第２流路３内の空気を送り出すように、吐出口３２を吐水口２１に近接して設けている。
【００３３】
このため、吐水装置１は、前記吸引圧によって、第２流路３の温風３９を吐水方向（水２９の流動方向）に沿って送り出すことができる。これによって、吐水装置１は、ファン等で第２流路３の温風３９を送り出さなくても、吐水時に、温風３９を吐出することができて、ファン等による消費電力を削減することができる。
【００３４】
また例えば、吐水装置１は、前記吸引圧によって第２流路３から温風３９を送り出すため、ファン等で温風３９を送り出す場合に比べて、吐水口２１からの水２９が温風３９の流れの影響を受け難くすることができる。
【００３５】
更に、吐水装置１は、第２端部３５を先細り形状としたことで、例えば第２流路３に加わる単位面積当たりの吸入圧を大きくし易くすることができる等で、温風３９を前記吸気圧で送り出し易くすることができる。
【００３６】
そして、吐水装置１は、第２端部３５を先細り形状としたことで、吐出する温風３９の流速を、第２縮径部３６（先細り形状の部位）より上流側の流速に比べて、速くすることができる。言い換えると、第２流路３は、温風３９を加速して吐出する構成となっている。このため、吐水装置１は、例えば温風３９の拡散を抑制する等で対象物８に到達し易くすることができて、温風３９による温覚を生じ易くすることができる。
【００３７】
次に、第二実施形態を説明する。なお、前述の第一実施形態と重複する構成は、同じ符号を付し、重複する説明は省略して、本例（第二実施形態）の特徴等を説明する。
【００３８】
本例の吐水装置１は、水２９及び温風３９の両方を吐出する吐水モードと、温風３９のみを吐出する温風モードとを有する。そして、吐水装置１は、吐水モードでの吐水用の前記操作部（第１操作部）と、温風モードでの温風３９吐出用の第２操作部（詳細は後述する）とを備える。
【００３９】
第２流路３には、図３に示すように、送風部４が設けてある。送風部４は、取付台７１より下方側に配置される。このため、送風部４は、水受部７に隠蔽されて外観に目立ち難い位置に配置することができる。そして、送風部４は、第２流路３の加熱部３３より上流側に配置される。送風部４は、その駆動によって第２流路３の下流側に空気を送るよう構成される。送風部４は、例えば、送風ファンとなっている。
【００４０】
更に、送風部４は、温風モードでのみ作動するよう構成される。言い換えると、送風部４は、温風モードのときに作動し、吐水モードのときに作動しない構成となっている。このため、吐水装置１は、吐水モードのときに、吐水により生じる吸引圧で温風３９を吐出口３２から送り出し、送風部４の作動による消費電力を削減した構成となっている。
【００４１】
第２操作部は、スパウト１３に設けられる。第２操作部は、例えば、物体を検知する検知部５で構成される。検知部５は、図４や図５に示すように、吐出部１４の側方の部位に設けられる。
【００４２】
そして、検知部５は、図５に示すように、吐出部１４の側方外側に、検知領域Ｅ１を有する。検知部５は、検知領域Ｅ１に物体が位置することで、図６に示すように、検知結果の出力値Ｐ１（検知出力）が所定値Ｐ２となる。すなわち、検知領域Ｅ１は、検知出力が所定値Ｐ２となる範囲である。言い換えると、検知部５は、出力値Ｐ１が所定値Ｐ２の場合、物体有と検知する構成となっている。
【００４３】
このため、検知部５は、所謂限定反射型の非接触センサとなっている。具体的には、検知部５が、例えば、赤外線（赤外領域の波長帯の光）を用いて物体を検知する赤外線反射型センサ、所謂赤外線センサとなっている。そして、この赤外線センサは、赤外線を発する発光部５１と、発光部５１で発した赤外線のうち物体で反射された赤外線の一部を受ける受光部５２とを備える。更に、検知部５で検知する物体とは、例えば、使用者の手等となっている。
【００４４】
送風部４は、図６に示すように、検知部５から所定値Ｐ２以上の検知出力（出力値Ｐ１）が入力されると、作動する。言い換えると、送風部４は、検知部５で物体を検知すると、作動する。そして、送風部４は、再度検知部５で物体を検知する、或いは送風開始から一定時間経過すると、その作動を停止する。
【００４５】
このように、吐水装置１は、吐水モードや吐水の停止状態において、検知部５で物体を検知すると、温風モードでの動作を開始するよう構成される。言い換えると、吐水装置１は、吐水モードや停止状態において、検知部５で物体を検知すると、加熱部３３による空気の加熱と、送風部４による空気の送り出しとを開始する。
【００４６】
このため、吐水装置１は、例えば、吐水モードで濡れた対象物８を、温風モードの温風３９によって、乾燥させること等ができて、利便性等を向上することができる。更に、吐水装置１が吐水モードの水２９及び温風３９と温風モードの温風３９とを同じ吐出部１４から吐出するため、使用者は、吐水モードでの洗浄（手洗い）と、その乾燥とを略同じ動作で行うことができる。そして、吐水装置１は、検知部５を非接触センサとしたことで、例えば、吐水モードの水２９で濡れた手で操作しなくても、温風モードでの作動を開始することができる。
【００４７】
また、第２流路３は、第２端部３５を先細り形状としたことで、温風３９を加速して吐出することができる。このため、吐水装置１は、温風モードの温風３９による対象物８の乾燥速度を早め易くすることができる。言い換えると、吐水装置１は、第２部位３４から加速して温風３９を吐出することで、温風モードによる対象物８の乾燥を行い易くすることができる。
【００４８】
また、吐水装置１は、第１流路２から湯や湯と水とを混合した湯水を吐出するもの等であってもよい。この場合、例えば、図７に示す変形例では、第１流路２の第１部位２２より上流側に、湯と水とを混合する混合部２６が設けてある。そして、第１流路２は、混合部２６に、前記給水源から水が流入される第３部位２７と、外部の給湯器（図示せず）から湯が流入される第４部位２８とが接続される。
【００４９】
言い換えると、第１流路２は、混合部２６より下流側に第１部位２２を有し、混合部２６より上流側に第３部位２７及び第４部位２８とを有する。第３部位２７の水や第４部位２８の湯は、混合部２６を介して第１部位２２に流入される。このため、吐水装置１は、湯と水とを混合部２６で混合した水２９（湯水）が吐水口２１から吐出される。これによって、吐水装置１は、前記給水源からの水２９のみを吐出する場合に比べて、湯によって水温を上昇させた状態で水を吐出することができて、水２９による冷覚を緩和し易くすることができる。
【００５０】
また、吐水装置１は、図７に示すように、取入口３１にフィルター３８を設けることが好ましい。また、吐水装置１は、バスルーム等に設けてもよく、この場合、水受部７は、例えば洗い場の上面（床の上面）や浴槽等となる。
【００５１】
なお、本発明は、前記例示の構成にのみ限定されるものではなく、要旨を逸脱しない範囲内で適宜変更して実施し得るものである。
【符号の説明】
【００５２】
１  吐水装置
１４  吐出部
２  第１流路
２１  吐水口
２２  第１部位
２３  第１端部
２９  水
３  第２流路
３２  吐出口
３３  加熱部
３４  第２部位
３５  第２端部
３９  温風
４  送風部
５  検知部
【図１】
2014177758.tif 000003
【図２】
2014177758.tif 000004
【図３】
2014177758.tif 000005
【図４】
2014177758.tif 000006
【図５】
2014177758.tif 000007
【図６】
2014177758.tif 000008
【図７】
2014177758.tif 000009